(57)【要約】      （修正有）【課題】システムを構成するハードウェアの現況及び要件の管理及び判定対象のハードウェアが要件を満たしているか判定可能なシステム管理装置を提供する。【解決手段】管理対象のハードウェアの仕様を記憶する第１記憶手段と、管理対象のシステムと当該システムを構成するハードウェアとの対応付けを記憶する第２記憶手段と、システムを構成するハードウェアの要件を記憶する第３記憶手段と、判定対象のハードウェアを特定する情報が入力される入力手段と、判定対象とされたハードウェアの仕様を第１記憶手段を参照して特定すると共に当該ハードウェアに対応付けられたシステムを第２記憶手段を参照して特定する特定手段と、判定対象とされたハードウェアに対応付けられたシステムにつき当該システムを構成するハードウェアの要件を第３記憶手段を参照して特定し判定対象とされたハードウェアの仕様が当該要件を満たすか否かを判定する判定手段と、を備える。【選択図】図３
2018067024.tif 000002
【特許請求の範囲】
【請求項１】
複数の管理対象のハードウェアの仕様を記憶する第１記憶手段と、
管理対象のシステムと当該システムを構成又は利用する前記管理対象のハードウェアとの対応付けを記憶する第２記憶手段と、
前記管理対象のシステムを構成又は利用するハードウェアの要件を記憶する第３記憶手段と、
判定対象とする前記管理対象のハードウェアを特定する情報が入力される入力手段と、
前記入力手段に入力された情報に基づき判定対象とされた前記管理対象のハードウェアの仕様を前記第１記憶手段を参照して特定するとともに、当該ハードウェアに対応付けがされた前記管理対象のシステムを前記第２記憶手段を参照して特定する特定手段と、
判定対象とされた前記管理対象のハードウェアに対応付けがされた前記管理対象のシステムについて、当該システムを構成又は利用するハードウェアの要件を前記第３記憶手段を参照して特定し、判定対象とされた前記管理対象のハードウェアの仕様が当該要件を満たすか否かを判定して判定結果を出力する判定手段と、
を備えるシステム管理装置。
【請求項２】
前記第１記憶手段は、前記管理対象のハードウェアにインストールされているソフトウェアの構成を更に記憶し、
前記第３記憶手段は、前記管理対象のシステムを構成又は利用するハードウェアにインストールされるソフトウェアの要件を更に記憶し、
前記特定手段は、判定対象とされた前記管理対象のハードウェアにインストールされているソフトウェアの構成を更に特定し、
前記判定手段は、判定対象とされた前記管理対象のハードウェアに対応付けがされた前記管理対象のシステムについて、当該システムを構成又は利用するハードウェアにインストールされるソフトウェアの要件を前記第３記憶手段を参照して更に特定し、判定対象とされた前記管理対象のハードウェアにインストールされているソフトウェアの構成が当該要件を満たすか否かを更に判定する
ことを特徴とする請求項１に記載のシステム管理装置。
【請求項３】
前記第１記憶手段に記憶された複数の前記管理対象のハードウェアの仕様及び当該ハードウェアにインストールされているソフトウェアの構成の変更の有無を監視し、変更が検出された場合に、変更が検出された前記管理対象のハードウェアを特定する情報を前記入力手段に入力する監視手段を更に備えることを特徴とする請求項２に記載のシステム管理装置。
【請求項４】
複数の管理対象のハードウェアの仕様及び当該ハードウェアにインストールされているソフトウェアの構成を記憶する第１記憶手段と、
管理対象のシステムと当該システムを構成又は利用する前記管理対象のハードウェアとの対応付けを記憶する第２記憶手段と、
前記管理対象のシステムを構成又は利用するハードウェアの要件及び当該ハードウェアにインストールされているソフトウェアの要件を記憶する第３記憶手段と、
判定対象とする前記管理対象のハードウェアを特定する情報が入力される入力手段と、
を用い、コンピュータを、
前記入力手段に入力された情報に基づき判定対象とされた前記管理対象のハードウェアの仕様及び当該ハードウェアにインストールされているソフトウェアの構成を前記第１記憶手段を参照して特定するとともに、当該ハードウェアに対応付けがされた前記管理対象のシステムを前記第２記憶手段を参照して特定する特定手段と、
判定対象とされた前記管理対象のハードウェアに対応付けがされた前記管理対象のシステムについて、当該システムを構成又は利用するハードウェアの要件及び当該ハードウェアにインストールされるソフトウェアの要件を前記第３記憶手段を参照して特定し、判定対象とされた前記管理対象のハードウェアの仕様及び当該ハードウェアにインストールされているソフトウェアの構成が当該要件を満たすか否かを判定して判定結果を出力する判定手段と、
して機能させるためのシステム管理プログラム。
【請求項５】
コンピュータを更に、前記第１記憶手段に記憶された複数の前記管理対象のハードウェアの仕様及び当該ハードウェアにインストールされているソフトウェアの構成の変更の有無を監視し、変更が検出された場合に、変更が検出された前記管理対象のハードウェアを特定する情報を前記入力手段に入力する監視手段として機能させることを特徴とする請求項４に記載のシステム管理プログラム。
【発明の詳細な説明】
【技術分野】
【０００１】
本発明は、組織の中に存在する様々な業務システムを管理するシステム管理装置及びシステム管理プログラムに関する。
【背景技術】
【０００２】
近年の企業は、サーバ装置やサーバ装置を利用するクライアント端末をはじめとするハードウェアや、オペレーティングシステム（ＯＳ）やアプリケーションをはじめとするソフトウェアなどの多数のＩＴ資産を保有しており、その管理が共通の課題となっている。ＩＴ資産管理システムは、このようなＩＴ資産を適切に管理し、コンプライアンスの徹底、ＩＴ投資の最適化などを図ることを目的としたシステムである（例えば、特許文献１参照）。
【０００３】
ＩＴ資産管理システムは、具体的には例えば、組織内のネットワーク上のハードウェアの仕様や設定及びソフトウェアのインストール情報などの現況情報を収集する現況情報収集機能、ハードウェアやソフトウェア及び保有ライセンスのあるべき状態を管理し現況情報収集機能により収集した情報と照合してあるべき状態との齟齬を特定する機能、ソフトウェア毎に利用可能なユーザを制限する機能、及びソフトウェアやパッチを配布する機能などを備える。
【先行技術文献】
【特許文献】
【０００４】
【特許文献１】特開２００８−０１５８４５号公報
【発明の概要】
【発明が解決しようとする課題】
【０００５】
ある程度の規模の組織では、さまざまな用途の業務システムが導入され、それらのシステムは一般的には組織全体のＩＴ資産を管理する統括部署が管理している。統括部署が自ら管理する業務システムに関しては、システムを構成するサーバ装置やシステムを利用するクライアント端末などのハードウェアを交換した際や、サーバやクライアントにインストールされたＯＳやアプリケーションなどのソフトウェアをバージョンアップした際などにトラブルが生じても、当該業務システムを構成するハードウェアやソフトウェアの要件は当該部署において把握しているのが通常であるため、ＩＴ資産管理システムにより把握される対象のハードウェアや当該ハードウェアにインストールにされているソフトウェアの現況と対比するなどして、速やかに復旧作業に取り掛かることができる。
【０００６】
一方、組織の規模が大きくなると各部署において個別に業務システムを構築している場合がある。このような場合に、システムを構成又は利用するハードウェアの交換やソフトウェアのバージョンアップの際にトラブルが生じると、各部署で自己解決できなければ最終的には統括部署が対応せざるを得ない。しかし、このような業務システムを構成するハードウェアやソフトウェアの現況や要件は、現状のＩＴ資産管理システムでは管理されていないため、これらの情報の把握には手間を要し、復旧作業の速やかな着手への大きな支障となっている。
【０００７】
本発明は、上記課題を鑑みてなされたものであり、システムを構成するハードウェア及びソフトウェアの現況及び要件の管理を可能とするとともに、システムを構成する任意のハードウェアについて要件を満たしているか否かを容易に判定することを可能とするシステム管理装置及びシステム管理プログラムを提供することを目的とする。
【課題を解決するための手段】
【０００８】
本発明に係るシステム管理装置は、複数の管理対象のサーバ装置及びクライアント端末（以下「ハードウェア」という）の仕様を記憶する第１記憶手段と、管理対象のシステムと当該システムを構成又は利用する管理対象のハードウェアとの対応付けを記憶する第２記憶手段と、管理対象のシステムを構成又は利用するハードウェアの要件を記憶する第３記憶手段と、判定対象とする管理対象のハードウェアを特定する情報が入力される入力手段と、入力手段に入力された情報に基づき判定対象とされた管理対象のハードウェアの仕様を第１記憶手段を参照して特定するとともに、当該ハードウェアに対応付けがされた管理対象のシステムを第２記憶手段を参照して特定する特定手段と、判定対象とされた管理対象のハードウェアに対応付けがされた管理対象のシステムについて、当該システムを構成又は利用するハードウェアの要件を第３記憶手段を参照して特定し、判定対象とされた管理対象のハードウェアの仕様が当該要件を満たすか否かを判定して判定結果を出力する判定手段と、を備える。
【０００９】
これにより、システムを構成するハードウェアの現況及び要件の管理が可能となるとともに、判定対象のハードウェアが要件を満たしているか否かを容易に判定することが可能となる。そのため、例えばハードウェアを交換する際に、新たなハードウェアの仕様で第１記憶手段に記憶された情報を更新した上で本発明のシステム管理装置を実行することで、新たな端末が要件を満たすものであるか否かを容易に確認することができる。また、既にハードウェアが交換され、トラブルが生じている場合にも新たなハードウェアの仕様で第１記憶手段に記憶された情報を更新した上で本発明のシステム管理装置を実行することで、新たなハードウェアが要件を満たさずにトラブルの原因になっていたか否かを確認することができる。
【００１０】
第１記憶手段が、管理対象のハードウェアにインストールされているソフトウェアの構成を更に記憶し、第３記憶手段が、管理対象のシステムを構成又は利用するハードウェアにインストールされるソフトウェアの要件を更に記憶し、特定手段が、判定対象とされた管理対象のハードウェアにインストールされているソフトウェアの構成を更に特定し、判定手段が、判定対象とされた管理対象のハードウェアに対応付けがされた管理対象のシステムについて、当該システムを構成又は利用するハードウェアにインストールされるソフトウェアの要件を第３記憶手段を参照して更に特定し、判定対象とされた管理対象のハードウェアにインストールされているソフトウェアの構成が当該要件を満たすか否かを更に判定するように構成してもよい。
【００１１】
これにより、システムを構成するハードウェア及びソフトウェアの現況及び要件の管理が可能となるとともに、判定対象のハードウェアにインストールされたソフトウェアについても要件を満たしているか否かを容易に判定することが可能となる。そのため、例えばインストールされたソフトウェアをバージョンアップする際に、第１記憶手段に記憶されたソフトウェアのバージョンの情報を更新した上で本発明のシステム管理装置を実行することで、バージョンアップされたソフトウェアが要件を満たすものであるか否かを容易に確認することができる。また、既にソフトウェアがバージョンアップされ、トラブルが生じている場合にも新たなソフトウェアのバージョンで第１記憶手段に記憶された情報を更新した上で本発明のシステム管理装置を実行することで、新たなソフトウェアのバージョンが要件を満たさずにトラブルの原因になっていたか否かを確認することができる。
【００１２】
また、第１記憶手段に記憶された複数の管理対象のハードウェアの仕様及び当該ハードウェアにインストールされているソフトウェアの構成の変更の有無を監視し、変更が検出された場合に、変更が検出された管理対象のハードウェアを特定する情報を入力手段に入力する監視手段を更に備えてもよい。
【００１３】
これにより、システムを構成するハードウェア及びソフトウェアの現況に変化が生じた場合に、変化後の仕様及び構成がシステムの要件を満たすか否かを自動的に判定することが可能となる。
【図面の簡単な説明】
【００１４】
【図１】本発明のシステム管理装置の導入態様を示す図である。
【図２】本発明のシステム管理装置の構成の一例を示す図である。
【図３】本発明のシステム管理装置の機能ブロック図である。
【図４】各記憶手段に記憶される情報の相関関係を示す図である。
【図５】本発明のシステム管理装置の別の機能ブロック図である。
【発明を実施するための形態】
【００１５】
図１は、実施形態に係るシステム管理装置１の導入態様を示す図である。システム管理装置１は、ネットワーク３を介して管理対象の複数のハードウェア２と接続される。ネットワーク３は、無線でも有線でもよいし、ＬＡＮでもＷＡＮでもよい。
【００１６】
システムを正常に動作させ所定の機能を実現するには、システムを構成するハードウェアの仕様やソフトウェアのバージョンなどがシステムの要件を満たしている必要がある。システム管理装置１は、管理対象の複数のハードウェア２の現況や各ハードウェア２にインストールされたソフトウェアの現況を管理するとともに、管理対象のシステム５とシステム５を構成するハードウェア２との対応付け情報と、システム５を構成するハードウェアやソフトウェアの要件を管理し、システム５を構成するハードウェア２やハードウェア２にインストールされているソフトウェアの現況と、システム５のハードウェアや当該ハードウェアにインストールされるソフトウェアの要件とを照合することで、システム５を構成するハードウェア２が要件を満たすか否かを判定する装置である。
【００１７】
図２は、システム管理装置１の構成の一例を示す図である。システム管理装置１はコンピュータであり、ＣＰＵ１１、ＲＯＭ１２、ＲＡＭ１３、入力部１４、表示部１５、記憶部１６、及び通信部１７を備える。システム管理装置１は、必ずしも１つのコンピュータにより実現する必要はなく、例えば、情報の記憶蓄積を主として担うコンピュータであるデータベースサーバと情報の入出力を主として担うコンピュータであるＷｅｂサーバとを組み合わせて実現してもよい。
【００１８】
ＣＰＵ１１は、ＲＯＭ１２や記憶部１６に記憶されたプログラムを実行し、システム管理装置１の機能を実現する。ＲＯＭ１２はコンピュータを動作させるための基本的なプログラムなどを記憶する不揮発性メモリである。ＲＡＭ１３はＣＰＵ１１のワークエリアを提供する揮発性メモリである。入力部１４は、キーボードやポインティングデバイス等の入力デバイスであって、利用者等が入力した情報をＣＰＵ１１に提供する。表示部１５は、ＬＣＤなどのディスプレイを備え、ＣＰＵ１１の制御に従い各種の情報を表示する表示手段である。記憶部１６は、ＨＤＤやフラッシュメモリ等の記憶媒体であり、ＣＰＵ１１が実行する各種プログラムや実行に用いるテーブルなどの各種ファイルを記憶する。通信部１７は、ネットワーク３に接続するためのインタフェースであり、ＣＰＵ１１の制御に従い、必要に応じてネットワーク３に接続されたハードウェア２と通信する。
【００１９】
図３は、システム管理装置１の機能ブロック図である。システム管理装置１は、機能ブロックとして、第１記憶手段２１、第２記憶手段２２、第３記憶手段２３、入力手段２４、特定手段２５、及び判定手段２６を備える。
【００２０】
図２に示すシステム管理装置１の構成においては、第１記憶手段２１、第２記憶手段２２、及び第３記憶手段２３の機能を記憶部１６が担う。
【００２１】
第１記憶手段２１は、複数の管理対象のハードウェア２の仕様を記憶する。第２記憶手段２２は、管理対象のシステム５と、システム５を構成するサーバ装置及びシステム５を利用するクライアント端末であるハードウェア２との対応付けを記憶する。第３記憶手段２３は、システム５を構成又は利用するハードウェアの要件を記憶する。図４に各記憶手段に記憶される情報の相関関係を示す。
【００２２】
第３記憶手段２３が記憶する、システム５を構成するサーバ装置のハードウェア要件は、例えば、ＣＰＵ名、コア数、物理数、ソケット数、メモリ容量、及びディスク容量などであり、クライアント端末のハードウェア要件としては、例えば、ＣＰＵ名、メモリ容量、及びディスク容量などである。複数のサーバ装置がある場合には、システム５の要求に応じ、要件はサーバ装置ごとに異なっていても構わない。また、クライアント端末の要件についても、システム５の要求に応じ、端末ごとに異なっていても構わない。
【００２３】
第１記憶手段２１が仕様を記憶するハードウェア２は、管理対象であるシステム５を構成するものには限定されず、システム５を構成しないハードウェア２については記憶する仕様項目は任意である。一方、管理対象のシステム５を構成するハードウェア２については、システム５を構成するハードウェアの要件に対応する仕様項目を記憶しておく必要がある。既存のＩＴ資産管理システムが管理する情報が、第１記憶手段２１に記憶させておくべきハードウェア２の情報を網羅している場合には、第１記憶手段２１を既存のＩＴ資産管理システムで代替してもよい。
【００２４】
入力手段２４には、判定対象とする管理対象のハードウェア２を特定する情報が入力される。情報の態様は、判定対象とする管理対象のハードウェア２を特定することができるものであれば文字、数字、記号など任意である。入力の態様も、キーボード、マウス、タッチパネルなど任意である。図２に示すシステム管理装置１の構成においては、入力手段２４の機能は入力部１４が担う。
【００２５】
特定手段２５は、入力手段２４に入力された情報に基づき判定対象とされた管理対象のハードウェア２の仕様を第１記憶手段２１を参照して特定するとともに、当該ハードウェア２に対応付けがされた管理対象のシステム５を第２記憶手段２２を参照して特定する。
【００２６】
特定手段２５の機能は、例えば、特定手段２５の機能が記述されたプログラムを記憶部１６に記憶しておき、これをＣＰＵ１１に読み込んで実行することにより実現される。具体的には例えば、判定対象のハードウェア２を特定する情報を入力するためのインタフェースを表示部１５に表示し、利用者が入力部１４から入力した情報から特定された判定対象のハードウェア２について、記憶部１６（第１記憶手段２１）を参照して仕様を特定するとともに、記憶部１６（第２記憶手段２２）を参照して当該ハードウェア２に対応付けがされたシステム５を特定する。対応付けがされたシステム５が複数ある場合は、そのすべてを特定する。特定結果はＲＡＭ１３などに記憶する。
【００２７】
判定手段２６は、判定対象とされた管理対象のハードウェア２に対応付けがされた管理対象のシステム５について、当該システム５を構成又は利用するハードウェアの要件を第３記憶手段２３を参照して特定し、判定対象とされた管理対象のハードウェア２の仕様が当該要件を満たすか否かを判定して判定結果を出力する。
【００２８】
判定手段２６の機能は、例えば、特定手段２５の機能が記述されたプログラムを記憶部１６に記憶しておき、これをＣＰＵ１１に読み込んで実行することにより実現される。具体的には例えば、特定手段２５における判定結果をＲＡＭ１３から読み出し、まず、判定対象とされた管理対象のハードウェア２に対応付けがされた管理対象のシステム５について、当該システム５を構成又は利用するハードウェアの要件を第３記憶手段２３を参照して特定する。対応付けがされたシステム５が複数ある場合は、各システム５についてハードウェアの要件を特定する。そして、判定対象とされた管理対象のハードウェア２の仕様が当該要件を満たすか否かを判定して判定結果を出力する。判定結果の出力内容は任意であり、例えば、単に要件を満たすか否かであってもよいし、満たしていない場合はどのシステムのどの項目についてどのように満たしていないかまで含めてもよい。また、出力態様も任意であり、例えば、単に記憶部１６に記憶してもよいし、表示部１５に表示してもよい。
【００２９】
以上説明したシステム管理装置１によれば、システム５を構成するハードウェア２の現況及び要件の管理が可能となるとともに、判定対象のハードウェア２の現況が要件を満たしているか否かを容易に判定することが可能となる。そのため、例えばハードウェア２を交換する際に、新たなハードウェア２の仕様で第１記憶手段２１に記憶された情報を更新した上でシステム管理装置１を実行することで、新たな端末が要件を満たすものであるか否かを容易に確認することができる。また、既にハードウェア２が交換され、トラブルが生じている場合にも新たなハードウェア２の仕様で第１記憶手段２１に記憶された情報を更新した上でシステム管理装置１を実行することで、新たなハードウェア２が要件を満たさずにトラブルの原因になっていたか否かを確認することができる。
【００３０】
システム５を構成するハードウェア２に加え、ハードウェア２にインストールされるソフトウェアの現況及び要件の管理を可能とするともに、判定対象のハードウェア２にインストールされたソフトウェアの現況についても要件を満たしているか否かを容易に判定することを可能とするためには、第１記憶手段２１、第３記憶手段２３、特定手段２５、及び判定手段２６を次のように構成すればよい。
【００３１】
第１記憶手段２１は、管理対象のハードウェア２にインストールされているソフトウェアの構成を更に記憶する。
【００３２】
第３記憶手段２３は、管理対象のシステム５を構成又は利用するハードウェア２にインストールされるソフトウェアの要件を更に記憶する。
【００３３】
第３記憶手段２３が記憶する、システム５を構成するサーバ装置にインストールされるソフトウェアの要件は、例えば、ＯＳ名、ＯＳエディション、ＯＳバージョン、及びミドルウェアやデータベースソフトなどシステムを構成するソフトウェアの内容などである。また、クライアント端末にインストールされるソフトウェアの要件は、例えば、ＯＳ名、ＯＳエディション、ＯＳバージョン、ブラウザ名、ブラウザバージョン、及びクライアント側でシステムを構成するソフトウェアの内容などである。複数のサーバ装置がある場合には、システム５の要求に応じ、要件はサーバ装置ごとに異なっていても構わない。また、クライアント端末の要件についても、システム５の要求に応じ、端末ごとに異なっていても構わない。
【００３４】
第１記憶手段２１がインストールされたソフトウェアの構成を記憶するハードウェア２は、管理対象であるシステム５を構成するものには限定されず、システム５を構成しないハードウェア２については記憶する構成項目は任意である。一方、管理対象のシステム５を構成するハードウェア２については、システム５を構成するハードウェアにインストールされるソフトウェアの要件に対応する構成項目を記憶しておく必要がある。既存のＩＴ資産管理システムが管理する情報が、第１記憶手段２１に記憶させておくべきハードウェア２にインストールされるソフトウェアの情報を網羅している場合には、第１記憶手段２１を既存のＩＴ資産管理システムで代替してもよい。
【００３５】
特定手段２５は、判定対象とされた管理対象のハードウェア２にインストールされているソフトウェアの構成を第１記憶手段２２を参照して更に特定する。
【００３６】
判定手段２６は、判定対象とされた管理対象のハードウェア２に対応付けがされた管理対象のシステム５について、当該システム５を構成又は利用するハードウェアにインストールされるソフトウェアの要件を第３記憶手段２３を参照して更に特定し、判定対象とされた管理対象のハードウェア２にインストールされているソフトウェアの構成が当該要件を満たすか否かを更に判定する。
【００３７】
以上のように構成することで、システム５を構成するハードウェア２及びソフトウェアの現況及び要件の管理が可能となるとともに、判定対象のハードウェア２にインストールされたソフトウェアについても要件を満たしているか否かを容易に判定することが可能となる。そのため、例えばインストールされたソフトウェアをバージョンアップする際に、第１記憶手段２１に記憶されたソフトウェアのバージョンの情報を更新した上でシステム管理装置１を実行することで、バージョンアップされたソフトウェアが要件を満たすものであるか否かを容易に確認することができる。また、既にソフトウェアがバージョンアップされ、トラブルが生じている場合にも新たなソフトウェアのバージョンで第１記憶手段２１に記憶された情報を更新した上でシステム管理装置１を実行することで、新たなソフトウェアのバージョンが要件を満たさずにトラブルの原因になっていたか否かを確認することができる。
【００３８】
なお、第１記憶手段２１に記憶された複数の管理対象のハードウェア２の仕様及び当該ハードウェア２にインストールされているソフトウェアの構成の変更の有無を監視し、変更が検出された場合に、変更が検出された管理対象のハードウェア２を特定する情報を入力手段２４に入力する監視手段２７を更に備えてもよい。図５は、監視手段２７を含むシステム管理装置１００の機能ブロック図である。
【００３９】
監視手段２７の機能は、例えば、監視手段２７の機能が記述されたプログラムを記憶部１６に記憶しておき、これをＣＰＵ１１に読み込んで実行することにより実現される。具体的には例えば、まず、第１記憶手段２１に仕様及びインストールされたソフトウェアの構成が記憶された複数の管理対象のハードウェア２に、通信部１７及びネットワーク３を介して逐次アクセスし、各ハードウェア２の仕様及びインストールされたソフトウェアの構成の最新情報を取得して、例えばＲＡＭ１３に記憶する。そして、ＲＡＭ１３に記憶された最新情報と第１記憶手段２１に記憶された情報とを照合し、変更が検出された場合に、変更が検出された管理対象のハードウェア２を特定する情報を入力手段２４に入力する。
【００４０】
これにより、システム５を構成するハードウェア２及びインストールされているソフトウェアの現況に変化が生じた場合、変化後の仕様及び構成がシステムの要件を満たすか否かを自動的に判定することが可能となる。
【００４１】
なお、各ハードウェア２にアクセスするためのアドレスなどの接続情報は、例えば、第１記憶手段２１で各ハードウェア２の仕様等とセットで管理するとよい。また、ハードウェア２の仕様やインストールされたソフトウェアの構成の変更が検出された場合には、取得された最新情報により、第１記憶手段２１で記憶していた情報を更新するようにしてもよい。
【００４２】
また、第１記憶手段２１に仕様及びインストールされたソフトウェアの構成が記憶された管理対象のハードウェア２が、いずれの管理対象のシステム５の構成要素でもない場合が想定されるが、その場合には例えば、当該ハードウェア２に対応付けがされた管理対象のシステム５が特定手段２５において特定できないため、その段階でエラー情報などを判定手段２６から出力するように構成すればよい。
【００４３】
なお、本発明は上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【符号の説明】
【００４４】
１、１００  システム管理装置
２  ハードウェア
３  ネットワーク
５  システム
１１  ＣＰＵ
１２  ＲＯＭ
１３  ＲＡＭ
１４  入力部
１５  表示部
１６  記憶部
１７  通信部
２１  第１記憶手段
２２  第２記憶手段
２３  第３記憶手段
２４  入力手段
２５  特定手段
２６  判定手段
２７  監視手段
【図１】
2018067024.tif 000003
【図２】
2018067024.tif 000004
【図３】
2018067024.tif 000005
【図４】
2018067024.tif 000006
【図５】
2018067024.tif 000007